(57)【要約】      （修正有）【課題】着座により表面側を裏面側に押圧しても安定して圧縮することができるシート状の圧縮袋を提供する。【解決手段】柔軟な合成樹脂製の外装シートを重ね合わせて、上縁を投入口２０として他の周縁を溶着して、内部に被収納物を収納するシート状の圧縮袋である。圧縮袋は、外装シート２の表面に形成される座面と、被収納物を収納する収納領域４と、収納領域を減圧する排気領域５とからなる。排気領域は、収納領域の下方に位置して区画され、収納領域と連通する排気路６を有している。排気路は、排気領域の左右の両縁側に形成されている。これにより、着座により表面側を裏面側に押圧しても被収納物の投入口２０が開かず安定して１秒程度で圧縮することができる。【選択図】図１
0003223854.tif 000002
【実用新案登録請求の範囲】
【請求項１】
柔軟な合成樹脂製の外装シートを重ね合わせて、上縁を投入口として他の周縁を溶着して、内部に被収納物を収納するシート状の圧縮袋であって、
前記圧縮袋は、前記外装シートの表面に形成される座面と、前記被収納物を収納する収納領域と、該収納領域を減圧する排気領域とからなり、
前記排気領域は、収納領域の下方に位置して区画され、前記収納領域と連通する排気路を有し、
前記排気路は、前記排気領域の左右の両縁側に形成されていることを特徴とする圧縮袋。
【請求項２】
排気路は、収納領域と連通する上端側から排気領域外に連通する下流側にかけて、左右方向の中央側に傾斜して形成することを特徴とする請求項１に記載の圧縮袋。
【請求項３】
方形状の外装シートの一辺を３０乃至３２センチメートルとし、残る一辺を３５乃至３９センチメートルとする圧縮袋であって、排気領域の左右の両排気路間には収納領域との区画を補強する補強溶着部を有することを特徴とする請求項１または２に記載の圧縮袋。
【請求項４】
排気領域の外装シートを透明部分とすることを特徴とする請求項１、２または３のいずれかに記載の圧縮袋。
【考案の詳細な説明】
【技術分野】
【０００１】
本考案は、衣類などの被収納物を圧縮して保管するシート状袋の構造に関する考案である。
【背景技術】
【０００２】
衣類などを圧縮して保管するシート状袋として特許文献１には、シートの内面にエンボス加工からなる微細な凹凸を形成して、シートに柔軟性を付与するとともに、被収納物のシート内面に対する滑りの悪さを改善した圧縮袋を開示している。この圧縮袋は密閉して投入口側から排気口に向けて丸めたり押えることにより収納領域内の空気を排出して、収納領域及び被収納物を圧縮している。
【先行技術文献】
【特許文献】
【０００３】
【特許文献１】実用新案登録第３１９８８１６号公報
【考案の概要】
【考案が解決しようとする課題】
【０００４】
特許文献１などの圧縮袋は投入口側を起点として排気口側に向けて丸めることにより投入口側に圧力をかかり難くして、圧縮時の圧力により投入口が開くことを防止している。しかしながら、丸める圧縮方法は手間がかかり時間を要するという問題があった。
【０００５】
そこで、他の圧縮方法として表面側を裏面側に押圧して排気しようとすると、排気口だけでなく投入口にも圧力がかかり、投入口が開いて圧縮に失敗することがあった。つまり、従来の圧縮袋は押圧による圧縮は弱い力で時間をかけて行うこととなり、圧縮時間の短縮は困難であった。
【０００６】
そこで、本考案は、着座により表面側を裏面側に押圧しても安定して圧縮することができる圧縮袋を提供するものである。
【課題を解決するための手段】
【０００７】
本考案の圧縮袋は、柔軟な合成樹脂製の外装シートを重ね合わせて、上縁を投入口として他の周縁を溶着して、内部に被収納物を収納するシート状の圧縮袋であって、前記圧縮袋は、前記外装シートの表面に形成される座面と、前記被収納物を収納する収納領域と、該収納領域を減圧する排気領域とからなり、前記排気領域は、収納領域の下方に位置して区画され、前記収納領域と連通する排気路を有し、前記排気路は、前記排気領域の左右の両縁側に形成されていることを特徴とする。
【０００８】
また、排気路は、収納領域と連通する上端側から排気領域外に連通する下流側にかけて、左右方向の中央側に傾斜して形成することが好ましい。
【０００９】
また、方形状の外装シートの一辺を３０乃至３２センチメートルとし、残る一辺を３５乃至３９センチメートルとする圧縮袋であって、排気領域の左右の両排気路間には収納領域との区画を補強する補強溶着部を有することが好ましい。
【００１０】
また、排気領域の外装シートを透明部分とすることが好ましい。
【考案の効果】
【００１１】
請求項１記載の考案により、表面側を押圧しても投入口が開くことなく、排気路により収納領域を圧縮することができる。表面を座面とすることにより使用者が着座するだけで容易にかつ短時間で圧縮することができる。
【００１２】
請求項２記載の考案により、側縁の空気を排気路に導入しやすくなり、側縁に空気溜りの発生を抑えることができる。
【００１３】
請求項３記載の考案により、短時間の圧縮による負荷に対して排気領域の強度を向上させて、安定して押圧により圧縮することができる。
【００１４】
請求項４記載の考案により、収納した被収納物の位置や圧縮具合などの状態を視認することができるだけでなく、排気路に被収納物の部品・部分等が落ち込んだときに視認して圧縮袋の不用意な破損を防止することができる。
【図面の簡単な説明】
【００１５】
【図１】本考案の実施形態の圧縮袋の正面図である。
【図２】圧縮袋の斜視図である。
【図３】圧縮袋の背面図である。
【図４】圧縮袋の範囲Ａの拡大図である。
【図５】排気路の排気状態の模式的なＢ−Ｂ線端面図である。
【図６】排気路の閉塞状態の模式的なＢ−Ｂ線端面図である。
【図７】圧縮袋の使用状態を示す概略図である。
【考案を実施するための形態】
【００１６】
本考案の実施の形態について説明する。本説明において、図１の紙面上を上方、紙面下を下方、紙面手前を表側（前方）、紙面奥を裏側（後方）として説明する。
【００１７】
本実施形態にかかる圧縮袋は、図１及び図２に示すように、２枚の柔軟な合成樹脂製の外装シート２、３を重ね合わせて上縁を除く周縁を溶着して、内部空間に衣類などの被収納物を収納可能としたシート型の袋体１としている。外装シート２、３は上下方向を長手方向とした長方形状に形成している。外装シート２、３は上下方向の寸法（高さ）を３０乃至３２ｃｍとし、左右方向の寸法（幅）を３５乃至３９ｃｍとしている。
【００１８】
袋体１は、側縁を溶着した側縁溶着部７と、下縁よりも上方を下縁に沿うように左右方向に溶着した区画溶着部８とを有し、この区画溶着部８により袋体１の内部空間を上下に区画している。区画溶着部８よりも上方側の空間は被収納物を収納する正方形状の収納領域４であり、下方側の空間は収納領域４から排気する排気路６、６からなる左右方向に長い長方形状の排気領域５としている。排気領域５の上下方向寸法は５ｃｍ以上とすることが好ましく、例えば袋体１を上下方向寸法３０ｃｍ×左右方向寸法３５ｃｍとすると、収納領域４は上下３０ｃｍ×左右３０ｃｍの範囲となり、排気領域５は上下５ｃｍ×左右３０ｃｍの範囲としている。
【００１９】
収納領域４は上縁を被収納物の投入口２０とし、この投入口２０から区画溶着部８よりの上方側の内部空間に収納可能としている。投入口２０は一方の外装シート２の内面に突条部２４を有し、他方の外装シート３の内面に突条部２４に対向して溝条部２５を有し、突条部２４と溝条部２５との嵌合により投入口２０を密閉している。この嵌合は投入口２０に取り付けたスライダー２１を投入口２０を挟持するようにして左右方向にスライド移動することにより容易に行うことができる。
【００２０】
外装シート２、３はポリエチレンからなり、エンボス加工を施した内部シートの外面を透明シートにより被覆して１枚に形成している。内部シートは外面を銀色とし、内面を白色としている。表面側の外装シート２は透明シートの内面全体に内部シートを有して、表面側から内部空間（収納した被収納物）を視認しにくくしている。
【００２１】
裏面側の外装シート３は、図３に示すように、表面側の外装シート２よりも内部シートの上下方向の寸法が短く、収納領域４の下方側から排気領域５の下縁までの範囲を透明シートで形成している。すなわち、裏面側の外装シート３は一部を透明の覗き窓（透明部分１１）とし、残りの部分を銀色（不透明部分）として内部を視認しにくくしている。裏面側の外装シート３の透明部分１１は裏面側から被収納物の状態を視認可能とする覗き窓として、過剰な収納や被収納物の予期しない折れ曲がり、被収納物による排気路６、６の閉塞などを防止している。なお、透明部分１１からなる覗き窓は収納領域４の上下方向の中央など他の位置に形成してもよい。
【００２２】
外装シート２、３の銀色の不透明部分は、図４に示すように、エンボス加工による微細な円形状からなる複数の凹凸１２と、この凹凸１２よりも大きい円形状であり凹凸１２よりも広い間隔に配置した複数の覗き穴１３とを有している。
【００２３】
凹凸１２は透明シートを含めた外装シート２、３の外面から内面に亘り不透明部分に形成している。袋体１は凹凸１２の内面側により被収納物と外装シート２、３との接触抵抗を軽減して収納領域４に投入しやすくしている。覗き穴１３は被収納物の位置を把握可能としつつ、内部シートにのみ形成して透明シートにより封止し、通気を防止している。
【００２４】
排気領域５は、図１及び図５に示すように、流路溶着部９により２つの排気路６、６を形成している。排気領域５は排気路６、６により収納領域４を減圧して容量の圧縮を可能としている。
【００２５】
排気路６、６は排気領域５の左右の両縁に形成され、押し延ばされた被収納物により閉塞され難くしている。排気路６、６は、区画溶着部８から下方に緩やかに傾斜した導入部１６と、導入部１６から下流ほど左右方向内側に導入部１６よりも鋭く傾斜した中間部１７と、中間部１７の下流端から上下方向に沿うように直線状に形成した放出部１８とからなる。
【００２６】
中間部１７は左右方向の外側に膨らむように湾曲して傾斜し、下流端の左右方向寸法を上流端の左右方向寸法よりも小さくなるように下流側に向けて狭まる形状としている。下流端は左右方向の外縁を上流端の左右方向寸法の中央と上下方向に並ぶように位置して、左右方向の内縁を導入部１６の上流端の左右方向の内縁と上下方向に並ぶように位置している。中間部１７は上流端の幅を２２ｍｍとし、下流端の幅を１５ｍｍとしている。
【００２７】
排気領域５は、外装シート２、３と同じ左右方向寸法の矩形状からなる２枚のバルブシート１４、１４と、バルブシート１４、１４それぞれの外側に配置した２本の糸１５、１５とを外装シート２、３の間に有している。バルブシート１４、１４は区画溶着部８よりも下方の部分を左右方向に沿うように直線状に溶着して外側の外装シート２、３に固定し、この溶着部分１９、１９はバブルシート１４、１４同士を溶着していない。すなわち、一方のバルブシート１４はこの溶着部分１９により表面側の外装シート２の内面に固定し、他方のバルブシート１４は溶着部分１９により裏面側の外装シート３の内面に固定している。
【００２８】
放出部１８の下流端（流路溶着部９の下縁）はバルブシート１４、１４の下縁よりも上方に位置して、図６に示すように、収納領域４を圧縮すると放出部１８よりも下方の部分を密着して排気路６、６の逆流を抑制している。さらに、袋体１の下端（外装シート２、３の下縁）はバルブシート１４、１４の下縁よりも下方に位置し、外装シート２、３の下縁同士の密着を可能としている。
【００２９】
糸１５は、図１に示すように、その両側縁を側縁溶着部７により固定されている。一方の糸１５は他方の糸１５から上方にバルブシート１４の前後方向寸法（シート厚）の２倍程度ずらして配置している。排気領域５は、図６に示すように、２本の糸１５、１５が２枚のバルブシート１４、１４を上下方向に挟み込むことにより排気路６の逆止弁を形成している。
【００３０】
排気領域５は、図１及び図３に示すように、排気路６、６よりも左右方向の中央側（内側）に、排気路６、６に沿うように上下方向に直線状の第１の補強溶着部２２を有している。さらに、第１の補強溶着部２２の左右方向の間には、放出部１８の下端間を結ぶ仮想直線に沿うように左右方向に直線状の第２の補強溶着部２３を有している。第２の補強溶着部２３は袋体１の下縁の溶着部を兼ねている。
【００３１】
圧縮袋は袋体１の表面を座面とし、図７に示すように、座布団のように椅子３０などに載置して使用者が着座することにより圧縮可能としている。なお、着座による圧縮動作の説明において、使用者の足側（紙面左側）を前方とし、使用者の背中側（紙面右側）を後方とし、椅子３０の脚側（紙面下方）を下方とし、椅子３０の背もたれ側（紙面上方）を上方としている。
【００３２】
この着座による圧縮動作は使用者の太腿から尻（腰）の順番に袋体１の上縁側（投入口２０側）を押えて位置ずれを防止しつつ収納領域４の中央を主として下方（裏面側）に向けて後方（排気領域５側）に押圧するように行われる。この押圧により収納領域４の空気を左右外側後向き（左右外側排気領域５向き）に流して排気路６、６から排気することができて、投入口２０の破裂開放を防止するとともに収納領域４の空気溜りを抑制して減圧することができる。また、着座により圧縮した袋体１を手で持ち上縁（投入口２０）側から下縁（排気領域５）側に向けてロール状に巻き込むことによりさらに減圧することができる。
【００３３】
（実験例）
着座により３０ｃｍ×３５ｃｍの圧縮袋を圧縮し、その圧縮時間を計測した実験について説明する。実験方法は、水平な鋼板上に圧縮袋よりも大きく厚さ２５ｍｍのウレタンフォームを敷き、その上に被収納物を封入し表面を上にした圧縮袋を配置した。この圧縮袋の収納領域４の表面のほぼ全体を覆う３０ｃｍ×３０ｃｍの当て板を介して、約２００ｍｍ／ｓの速度で鉛直荷重を加えた。６００Ｎまで負荷して、当て板に荷重が加わった時点から変位及び荷重がほぼ一定となるまでの時間を圧縮完了となる時間として測定した。なお、被収納物は２枚のＴシャツを折り畳み約２５ｃｍ×２７ｃｍの矩形状としたものを使用し、ウレタンフォームはＪＩＳ  Ｓ  １２０３  項目６．７に規定されたものを使用した。
【００３４】
実験結果は、１回目が０．７秒、２回目が０．８秒、３回目が０．８秒であった。変位及び荷重が一定となった状態はウレタンフォームと当て板とにより収納領域４の空気が抜かれて被収納物を挟む状態であることから、圧縮袋は表面を座面として座ることにより減圧（排気）して、約１秒で圧縮完了とすることができる。
【符号の説明】
【００３５】
２、３…外装シート、４…収納領域、５…排気領域、６…排気路、７…側縁溶着部、１１…透明部分、２０…投入口、２２…第１の補強溶着部。
【図１】
0003223854.tif 000003
【図２】
0003223854.tif 000004
【図３】
0003223854.tif 000005
【図４】
0003223854.tif 000006
【図５】
0003223854.tif 000007
【図６】
0003223854.tif 000008
【図７】
0003223854.tif 000009